(57)【要約】      （修正有）【課題】見切り範囲を広く見せることが可能な電子機器を提供する。【解決手段】電子機器１は、第一の色および第二の色を表示可能な電気泳動表示パネル１３と、電気泳動表示パネル１３の表面側に設けられたカバー部材と、電気泳動表示パネル１３の表面側に設けられ、かつ、カバー部材を通して視認される見切り部２２を有し、電気泳動表示パネル１３を保持するパネル枠と、を備え、見切り部２２の色は、第一の色または第二の色である。【選択図】図１
2019002763.tif 000002
【特許請求の範囲】
【請求項１】
第一の色および第二の色を表示可能な電気泳動表示パネルと、
前記電気泳動表示パネルの表面側に設けられたカバー部材と、
前記電気泳動表示パネルの表面側に設けられ、かつ、前記カバー部材を通して視認される見切り部を有し、前記電気泳動表示パネルを保持するパネル枠と、を備え、
前記見切り部の色は、前記第一の色または前記第二の色である
ことを特徴とする電子機器。
【請求項２】
請求項１に記載の電子機器において、
前記見切り部の内周面は、表面側から裏面側に向かって、前記パネル枠の内側に傾斜する傾斜面である
ことを特徴とする電子機器。
【請求項３】
請求項１または請求項２に記載の電子機器において、
前記見切り部の表面側には、インデックスである凹部が設けられている
ことを特徴とする電子機器。
【請求項４】
請求項１から請求項３のいずれか１項に記載の電子機器において、
前記カバー部材の光の屈折率は、１．７以上２．０以下である
ことを特徴とする電子機器。
【請求項５】
請求項４に記載の電子機器において、
前記カバー部材は、サファイヤガラスである
ことを特徴とする電子機器。
【請求項６】
請求項１から請求項５のいずれか１項に記載の電子機器において、
前記カバー部材には、反射を抑制する膜が設けられている
ことを特徴とする電子機器。
【発明の詳細な説明】
【技術分野】
【０００１】
本発明は、電気泳動表示パネルを備えた電子機器に関する。
【背景技術】
【０００２】
従来、液晶セルと、液晶セルを表面側で受けるツバ部を有する支持部材（パネル枠）とを備え、ツバ部の内周縁が見切り範囲を形成する電子時計が知られている（例えば、特許文献１参照）。
【先行技術文献】
【特許文献】
【０００３】
【特許文献１】実開昭６０−１２０３９２号公報
【発明の概要】
【発明が解決しようとする課題】
【０００４】
ところで、電子時計には、液晶セルの代わりに電気泳動表示パネルを備えたものがある。電気泳動表示パネルは、コントラストが高く、反射型の表示なので、直射日光下から薄暗がりまではっきりと見える特徴がある。電気泳動表示パネルを備えた電子時計には、この特徴を活かし、時計画面全体で時刻の移り変わりや流れを表現したり、好まれるキャラクターなどの画像と時刻を組合せて表示するものが有る。このような電子時計では、魅力の中心である画像を強調して見せるため、ケースに比して電気泳動表示パネルの見切り範囲をより広く見せたいという要望がある。
【０００５】
本発明の目的は、見切り範囲を広く見せることが可能な電子機器を提供することにある。
【課題を解決するための手段】
【０００６】
本発明の電子機器は、第一の色および第二の色を表示可能な電気泳動表示パネルと、前記電気泳動表示パネルの表面側に設けられたカバー部材と、前記電気泳動表示パネルの表面側に設けられ、かつ、前記カバー部材を通して視認される見切り部を有し、前記電気泳動表示パネルを保持するパネル枠と、を備え、前記見切り部の色は、前記第一の色または前記第二の色であることを特徴とする。
【０００７】
本発明によれば、パネル枠の見切り部の色を、電気泳動表示パネルが表示する画像の例えば背景色と同じ色にすることができる。このため、表面側から見て、電気泳動表示パネルと見切り部とで色の繋がりが出せ、画像の背景が見切り部の外周縁まで広がっているように見せることができる。これにより、電気泳動表示パネルの見切り範囲を広く見せることができる。
【０００８】
本発明の電子機器において、前記見切り部の内周面は、表面側から裏面側に向かって、前記パネル枠の内側に傾斜する傾斜面であることが好ましい。
【０００９】
本発明によれば、例えば見切り部の内周面が、電気泳動表示パネルの表面と直交する方向に沿って形成されている場合と比べたとき、見切り範囲が同じ場合、電子機器を斜めから見た際に、見切り部によって隠される電気泳動表示パネルの面積を小さくできる。これにより、電気泳動表示パネルの見切り範囲をより広く見せることができる。また、電子機器に斜めから光が当たった場合に、電気泳動表示パネルにできる見切り部の影の面積を小さくできる。これにより、視認性を向上できる。
【００１０】
本発明の電子機器において、前記見切り部の表面側には、インデックスである凹部が設けられていることが好ましい。
【００１１】
本発明によれば、例えば、電気泳動表示パネルで指針の画像を表示し、凹部を当該指針で指示される目盛として用いることができる。この場合、電気泳動表示パネルと見切り部とで時刻等の情報を表示できるため、電気泳動表示パネルだけで情報を表示する場合と比べて、情報をダイナミックに表示できる。
また、この場合、当該凹部にユーザーが注目することで、見切り部の表面と電気泳動表示パネルの表面との高低差を小さく見せることができる。これにより、電気泳動表示パネルをカバー部材に近づけて見せることができ、視認性を向上できる。
【００１２】
本発明の電子機器において、前記カバー部材の光の屈折率は、１．７以上２．０以下であることが好ましい。
【００１３】
カバー部材の屈折率が大きいほど、電子機器を斜めから見た場合に、電気泳動表示パネルはカバー部材に近づいて見える。本発明では、当該屈折率が１．７以上であるため、例えばカバー部材がガラスである場合と比べて、電気泳動表示パネルをカバー部材に近づけて見せることができる。
また、カバー部材の屈折率が大きいほど、カバー部材の反射率が大きくなり、カバー部材に照明などが写り込んで電気泳動表示パネルが見えにくくなる場合がある。本発明では、当該屈折率が２．０以下であるため、カバー部材の反射により、電気泳動表示パネルが見えにくくなることを抑制できる。
このように、本発明によれば、電気泳動表示パネルをカバー部材に近づけて見せることができ、かつ、カバー部材に照明などが写り込んで電気泳動表示パネルが見えにくくなることも抑制できるため、視認性を向上できる。
【００１４】
本発明の電子機器において、前記カバー部材は、サファイヤガラスであることが好ましい。
【００１５】
サファイヤガラスの屈折率は、約１．７６であるため、本発明によれば、カバー部材がガラスである場合と比べて電気泳動表示パネルをカバー部材に近づけて見せることができ、かつ、カバー部材に照明などが写り込んで電気泳動表示パネルが見えにくくなることも抑制できるため、視認性を向上できる。さらに、サファイヤガラスは、ガラスよりもビッカーズ硬度が高いため、カバー部材が傷つきにくくなる。
【００１６】
本発明の電子機器において、前記カバー部材には、反射を抑制する膜が設けられていることが好ましい。
【００１７】
本発明によれば、カバー部材の反射を抑制できるため、カバー部材に照明などが写り込んで電気泳動表示パネルが見えにくくなることを抑制でき、視認性を向上できる。
【図面の簡単な説明】
【００１８】
【図１】本発明に係る実施形態における腕時計の平面図。
【図２】実施形態における腕時計の断面図。
【図３】実施形態における腕時計の部分断面図。
【図４】実施形態における腕時計の部分平面図。
【図５】実施形態における電気泳動表示パネルの部分断面図。
【図６】実施形態における電気泳動表示パネルの部分断面図。
【図７】本発明に係る他の実施形態における腕時計の平面図。
【図８】本発明に係るさらに他の実施形態における腕時計の平面図。
【図９】本発明に係るさらに他の実施形態における腕時計の部分断面図。
【発明を実施するための形態】
【００１９】
［実施形態］
以下、本発明の実施形態を、図面を用いて説明する。
図１は、電子機器としての腕時計１の平面図であり、図２は、腕時計１のバンド長手方向の断面図である。図３は、腕時計１のバンド短手方向の部分断面図であり、図４は、腕時計１の部分平面図である。なお、図４では、外装ケース２およびカバー部材１１の図示は省略している。
図１に示すように、腕時計１は、外装ケース２と、外装ケース２に取り付けられた一対のバンド３とを備えている。
【００２０】
外装ケース２は、ステンレスやチタンなどの金属またはプラスチックなどの樹脂により、筒状に形成されている。図２に示すように、外装ケース２の表面側の開口は、透光性を有するカバー部材１１で塞がれ、外装ケース２の裏面側の開口は、上記金属または樹脂により形成された裏蓋１２で塞がれている。
カバー部材１１には、本実施形態では、光の屈折率が約１．７６であるサファイヤガラスが用いられている。カバー部材１１は、図３に示すように、平坦な表面１１１と、外周面１１２と、表面１１１と外周面１１２とを繋ぐ斜面１１３とを備えている。そして、本実施形態では、カバー部材１１の裏面に、反射を抑制する膜、すなわち反射防止膜（無反射コーティング）が設けられている。また、当該裏面の外周側は、透明な接着剤１８により外装ケース２に接着されている。
また、図１に示すように、外装ケース２の側面には、２つの操作ボタン３１が設けられている。
【００２１】
図２に示すように、外装ケース２、カバー部材１１、裏蓋１２で囲まれた空間内には、電気泳動表示（ＥＰＤ：Electrophoretic Display）パネル１３と、パネル枠２０と、回路基板１４と、回路ケース１５と、電池（図示せず）などが設けられている。
【００２２】
電気泳動表示パネル１３は、表面側から見て矩形状に形成されている。また、図３に示すように、電気泳動表示パネル１３は、表面側から見て矩形状に形成された、画像を表示可能な有効表示部分１３Ａと、有効表示部分１３Ａの周囲に設けられた周辺部分１３Ｂとを備えている。なお、図３の一点鎖線Ｂ１は、有効表示部分１３Ａと周辺部分１３Ｂとの境界を示している。
【００２３】
電気泳動表示パネル１３には、本実施形態では、アクティブマトリックス方式の電気泳動表示パネルが用いられている。本実施形態では、電気泳動表示パネル１３は、二粒子系マイクロカプセル型の複数の電気泳動素子１３２を有し、各電気泳動素子１３２に電界をかけることで各画素の色が制御される。
図５は、電気泳動表示パネル１３の有効表示部分１３Ａの部分断面図である。図５に示すように、電気泳動素子１３２は素子基板１３０と対向基板１３１との間に配置されている。電気泳動素子１３２は、マイクロカプセル１２０と、マイクロカプセル１２０に封入された、例えば無色透明な分散液と、複数の白色の電気泳動粒子（白色粒子１２７）と、複数の黒色の電気泳動粒子（黒色粒子１２６）とで構成されている。本実施形態では、白色粒子１２７は負に帯電しており、黒色粒子１２６は正に帯電している。
【００２４】
素子基板１３０と対向基板１３１は、複数の電気泳動素子１３２を狭持している。電気泳動表示パネル１３には、素子基板１３０の電気泳動素子１３２側に、複数の画素電極１３５が形成された駆動電極層３５０が設けられている。図５では、画素電極１３５として画素電極１３５Ａと画素電極１３５Ｂが示されている。画素電極１３５により、画素ごとに電位（例えば、Ｖａ、Ｖｂ）を供給することが可能である。ここで、画素電極１３５Ａを有する画素を画素１０３Ａとし、画素電極１３５Ｂを有する画素を画素１０３Ｂとする。
【００２５】
一方、対向基板１３１は透明基板であり、電気泳動表示パネル１３において対向基板１３１側に画像表示がなされる。電気泳動表示パネル１３は、対向基板１３１の電気泳動素子１３２側に、平面形状の共通電極１３７が形成された共通電極層３７０が設けられている。なお、共通電極１３７は透明電極である。共通電極１３７は、画素電極１３５と異なり全画素に共通の電極であり、電位ＶＣＯＭが供給される。
【００２６】
共通電極層３７０と駆動電極層３５０との間に設けられた電気泳動表示層３６０に電気泳動素子１３２が配置されており、電気泳動表示層３６０が表示領域となる。画素電極１３５（例えば、１３５Ａ、１３５Ｂ）と共通電極１３７との間の電位差に応じて、画素毎に所望の色を表示させることができる。
【００２７】
図５は、共通電極側の電位ＶＣＯＭが画素１０３Ａの画素電極１３５Ａの電位Ｖａおよび画素１０３Ｂの画素電極１３５Ｂの電位Ｖｂよりも高電位の状態を示している。このとき、画素電極１３５Ａ，１３５Ｂと共通電極１３７との間には、電位ＶＣＯＭを基準として負の電圧が印加されるため、負に帯電した白色粒子１２７が共通電極１３７側に引き寄せられ、正に帯電した黒色粒子１２６が画素電極１３５Ａ，１３５Ｂ側に引き寄せられ、画素１０３Ａ，１０３Ｂは第一の色としての白色を表示していると視認される。
ここで、白色とは、ＣＩＥ表色系で定義される白色を示す。すなわち、電気泳動表示パネル１３では、白色を表示する際に、黒色粒子１２６が僅かに透けて見えるため、実際には白色に近い灰色が表示されるが、当該灰色は、ＣＩＥ表色系で定義される白色に含まれる。
【００２８】
図６は、図５の状態から、共通電極１３７側の電位ＶＣＯＭが画素１０３Ａの画素電極１３５Ａの電位Ｖａよりも低電位となり、画素１０３Ｂの画素電極１３５Ｂの電位Ｖｂと同電位となった状態を示している。このとき、画素電極１３５Ａと共通電極１３７との間には、電位ＶＣＯＭを基準として正の電圧が印加されるため、正に帯電した黒色粒子１２６が共通電極１３７側に引き寄せられ、負に帯電した白色粒子１２７が画素電極１３５Ａ側に引き寄せられ、画素１０３Ａは白色から第二の色としての黒色に変化したと視認される。ここで、黒色とは、反射率が５％以下の色を示す。
一方、画素電極１３５Ｂと共通電極１３７との間では、電位差が生じていないため、黒色粒子１２６と白色粒子１２７は図５の位置からほとんど移動せず、画素１０３Ｂは白色のまま変化していないと視認される。
【００２９】
なお、画素電極１３５と共通電極１３７との電位差の大きさあるいは電位差を生じさせる時間を制御することで、黒色粒子１２６と白色粒子１２７を両電極間の任意の中間位置で静止させれば、黒色と白色の間の任意の中間色（灰色）を表示させることもできる。
【００３０】
このように、電気泳動表示パネル１３は、画素毎に、黒色または白色を表示することで、所定の画像を表示する。本実施形態では、電気泳動表示パネル１３は、例えば、図１に示すように、背景色が黒色で、時刻を示す文字が白色で表記された画像を表示する。
また、電気泳動表示パネル１３は、一定時間、電力が供給されなくても画像を保持できるため低消費電力動作が可能であり、また、１８０度視認可能であるため、腕時計等の携帯型の電子時計の表示部としての使用にも適している。
【００３１】
回路基板１４は、図２に示すように、電気泳動表示パネル１３の裏面側に設けられている。回路基板１４は、電気泳動表示パネル１３および回路基板１４で挟持された弾性を有する導電体１６によって、電気泳動表示パネル１３と接続されている。ここで、電気泳動表示パネル１３は、弾性を有する導電体１６によって表面方向（カバー部材１１に近づく方向）に付勢されている。
回路基板１４の裏面側には、発振回路および分周回路を含む計時回路、電気泳動表示パネル１３を駆動する駆動回路、制御ＩＣ、コンデンサーなどが実装されている。
【００３２】
また、図３に示すように、回路基板１４の外側には、操作ボタン３１のボタン軸３１１の押し込み方向先端に設けられた接触部３１２が、操作ボタン３１が押された場合に当接するボタンスイッチバネ１７が設けられている。そして、回路基板１４の側面には、ボタンスイッチバネ１７と対向する位置に導通部１４１が設けられている。導通部１４１には、操作ボタン３１が押された際に、操作ボタン３１の接触部３１２によって押されたボタンスイッチバネ１７が当接する。ボタンスイッチバネ１７が導通部１４１に接触することで、ボタン操作による入力が行われる。
【００３３】
回路ケース１５は、図２に示すように回路基板１４の裏面側に取り付けられ、電池や、回路基板１４に実装された各回路および電子部品などを収容する。
【００３４】
［パネル枠の構成］
パネル枠２０は、図２、図３に示すように、電気泳動表示パネル１３の外周面を囲むように筒状に形成された枠本体部２１と、枠本体部２１の表面の内周側に設けられた見切り部２２とを備えている。
図３に示すように、枠本体部２１における見切り部２２が設けられていない表面は、外装ケース２の内周面から突出した突出部２Ａの裏面に当接している。
また、枠本体部２１には、詳しくは後述するが、図３、図４に示すように、腕時計１を組み立てる際、操作ボタン３１の接触部３１２およびボタン軸３１１に取り付けられたＣ型リング３１３を通過させる溝２１１が形成されている。なお、Ｃ型リング３１３は、操作ボタン３１が外装ケース２から脱落するのを防止する部品である。溝２１１は、枠本体部２１の外周面に、電気泳動表示パネル１３の表面と直交する方向に沿って設けられ、表面側から見て接触部３１２と重なっている。
ここで、本実施形態では、表面側から見て、外装ケース２の突出部２Ａは、溝２１１を覆っている。この構成により、ユーザーが腕時計１を見た際、溝２１１が視認されることを防止できる。
【００３５】
見切り部２２は、図３に示すように、枠本体部２１の内周側の表面から表面方向に突出した基端部２３と、基端部２３から内側に向かって突出し、電気泳動表示パネル１３の表面側に設けられる突出部２４とを備えている。このような見切り部２２の表面は、カバー部材１１を通して視認される。すなわち、見切り部２２とは、腕時計１の厚み方向における位置が、電気泳動表示パネル１３の表面よりもカバー部材１１側であり、かつ、カバー部材１１を通して視認される部分である。
突出部２４の裏面には、表面方向に付勢された電気泳動表示パネル１３の表面が当接している。このようにして、パネル枠２０によって、電気泳動表示パネル１３が保持される。
【００３６】
また、見切り部２２の内周縁２２１、すなわち、突出部２４の突出方向先端は、表面側から見て矩形状に形成され、一点鎖線Ｂ１で示される有効表示部分１３Ａの外周縁よりも内側に位置している。
これにより、見切り部２２によって電気泳動表示パネル１３の見切り範囲が決められる。すなわち、図２に示すように、電気泳動表示パネル１３の表面のうち、見切り部２２の内側の範囲Ｒ１が、ユーザーによって視認される見切り範囲となる。
また、内周縁２２１が、有効表示部分１３Ａの外周縁よりも内側に位置していることで、電気泳動表示パネル１３を斜めから見たとき、見切り部２２によって周辺部分１３Ｂが視認されることを防止できる。また、見切り部２２の内周縁２２１を、少なくとも組立公差の分、有効表示部分１３Ａの外周縁よりも内側に位置させることで、周辺部分１３Ｂが視認されることを確実に防止できる。
【００３７】
また、本実施形態では、見切り部２２の内周面２２２は、裏面方向（裏蓋１２に近づく方向）に向かって、パネル枠２０の内側に傾斜する傾斜面である。すなわち、見切り部２２の内周の径は、裏面方向に向かって、徐々に小さくなっている。これにより、後述する図９に示す変形例のように内周面２２２が例えば電気泳動表示パネル１３の表面と直交する方向に沿って形成されている場合と比べたとき、見切り範囲が同じ場合、腕時計１を斜めから見た際に、見切り部２２によって隠される電気泳動表示パネル１３の面積を小さくできる。これにより、電気泳動表示パネル１３の見切り範囲をより広く見せることができる。また、腕時計１に斜めから光が当たった場合に、電気泳動表示パネル１３にできる見切り部２２の影の面積を小さくできる。これにより、視認性を向上できる。
【００３８】
なお、見切り部２２の内周縁２２１を通り、電気泳動表示パネル１３の表面と直交する直線を直線Ｌ１とし、内周縁２２１と、カバー部材１１の表面１１１の外周縁１１１Ａとを結ぶ直線を直線Ｌ２とし、直線Ｌ１と直線Ｌ２とが成す角度を角度αとした場合、直線Ｌ１と内周面２２２とが成す角度θは、次の関係を満たすことが好ましい。
すなわち、角度θは、６０°以上であることが好ましい。角度θが６０°以上あることで、ユーザーが腕時計１を手首に装着し、通常の姿勢で腕時計１を見る場合、有効表示部分１３Ａが見切り部２２によって隠れることを抑制できる。
また、腕時計１を斜めから見たとき、見切り部２２が視認されるのは、角度θが角度α以下の場合である。角度θが角度αより大きい場合、斜面１１３から見切り部２２を見ることになるが、この場合、光の屈折の影響で見切り部２２は視認されない。
このため、腕時計１をどの方向から見ても、見切り部２２によって有効表示部分１３Ａが隠れないようにするには、角度θが少なくとも角度αであればよい。
また、角度θが大きくなるほど、見切り部２２の突出方向先端の厚みが薄くなり、強度が低下する。このため、角度θは必要以上に大きくするべきではなく、角度α以下であることが好ましい。
【００３９】
また、見切り部２２の表面には、図１に示すように、第二の色である黒色が印刷等により着けられている。本実施形態では、見切り部２２の色が、電気泳動表示パネル１３が表示する画像の背景色と同じため、表面側から見て、電気泳動表示パネル１３と見切り部２２とで色の繋がりが出せ、画像の背景が見切り部２２の外周縁まで広がっているように見せることができる。これにより、電気泳動表示パネル１３の見切り範囲を広く見せることができる。すなわち、図２に示すように、見切り部２２の外周縁で囲まれた範囲Ｒ２を、見切り範囲に見せかけることができる。
【００４０】
［パネル枠の組み立て方法］
パネル枠２０は、組み立て時、操作ボタン３１が取り付けられた外装ケース２に対して、裏面側の開口から外装ケース２内に入れられる。
操作ボタン３１の押し込み方向の先端には、上述したように、ボタンスイッチバネ１７と接触する接触部３１２が設けられており、接触部３１２は、外装ケース２の内側に位置している。
本実施形態では、図３、図４に示すように、枠本体部２１には、表面側から見て接触部３１２と重なる位置に、溝２１１が設けられている。このため、パネル枠２０を外装ケース２内に入れる際、接触部３１２が当該溝２１１内を通過するため、接触部３１２と枠本体部２１とが干渉することを抑制できる。
なお、外装ケース２の径方向の寸法を大きくするなどし、接触部３１２が外装ケース２の内側に飛び出さないようにした場合は、パネル枠２０に溝２１１を設けなくてもよい。
【００４１】
［実施形態の作用効果］
本実施形態によれば、表面側から見て、電気泳動表示パネル１３と見切り部２２とで色の繋がりが出せ、画像の背景が見切り部２２まで広がっているように見せることができるため、電気泳動表示パネル１３の見切り範囲を広く見せることができる。
【００４２】
本実施形態では、見切り部２２の内周面２２２が傾斜面であるため、腕時計１を斜めから見た場合に、見切り部２２によって隠される電気泳動表示パネル１３の面積を小さくでき、見切り範囲をより広く見せることができる。また、腕時計１に斜めから光が当たった場合に、電気泳動表示パネル１３にできる見切り部２２の影の面積を小さくでき、視認性を向上できる。
なお、本実施形態では、電気泳動表示パネル１３の表面に当接する見切り部２２によって見切り範囲が決められているため、例えばカバー部材１１の裏面に設けられた印刷によって見切り範囲が決められている場合と比べて、次の効果がある。すなわち、電気泳動表示パネル１３の表面と見切りとの距離が近いため、腕時計１を斜めから見た場合に、見切りによって隠される電気泳動表示パネル１３の面積を小さくでき、見切り範囲をより広く見せることができる。また、腕時計１に斜めから光が当たった場合に、電気泳動表示パネル１３にできる見切りの影の面積を小さくでき、視認性を向上できる。
【００４３】
カバー部材１１の屈折率が大きいほど、腕時計１を斜めから見た場合に、電気泳動表示パネル１３はカバー部材１１に近づいて見える。本実施形態では、カバー部材１１に、屈折率がガラスよりも大きいサファイヤガラスを用いているため、電気泳動表示パネル１３をカバー部材１１に近づけて見せることができる。すなわち、電気泳動表示パネル１３が奥目に見えることを抑制できる。
また、カバー部材１１の屈折率が大きいほど、カバー部材１１の反射率が大きくなり、カバー部材に照明などが写り込んで電気泳動表示パネル１３が見えにくくなる場合がある。これに対して、本実施形態では、カバー部材１１に屈折率が２．０以下であるサファイヤガラスが用いられ、かつ、カバー部材１１の表面に反射防止膜が設けられているため、カバー部材１１の反射により、電気泳動表示パネル１３が見えにくくなることを抑制できる。
これらにより、視認性をより向上できる。
また、カバー部材１１がサファイヤガラスであるため、ガラスの場合と比べて、カバー部材１１のビッカーズ硬度を高くでき、カバー部材１１が傷つきにくくなる。
【００４４】
なお、電気泳動表示パネル１３に代えて液晶表示パネルを用いた場合、液晶表示パネルは電圧が印加された場合と印加されていない場合の光路差が、カバー部材１１の厚みの約２倍もあるため、セグメントの下側に影ができてしまう。このため、カバー部材１１の屈折率を大きくしても、表示パネルがカバー部材１１に近づいて見える効果が、電気泳動表示パネル１３を用いた場合と比べて小さい。
【００４５】
［他の実施形態］
なお、本発明は前述の実施形態に限定されるものではなく、本発明の目的を達成できる範囲での変形、改良等は本発明に含まれるものである。
【００４６】
前記実施形態では、見切り部２２の表面が第二の色としての黒色であるが、これに限定されない。例えば、図７に示すように、電気泳動表示パネル１３が表示する画像の背景色の色が白色の場合、見切り部２２の表面が第一の色としての白色であってもよい。この場合も、表面側から見て、電気泳動表示パネル１３と見切り部２２とで色の繋がりが出せ、画像の背景が見切り部２２の外周縁まで広がっているように見せることができるため、電気泳動表示パネル１３の見切り範囲を広く見せることができる。
また、前記実施形態では、第一の色が黒色であり、第二の色が白色であるが、これに限定されない。例えば、電気泳動表示パネル１３が、上記の通り、中間色（灰色）を表示可能な場合、第一の色または第二の色は、当該中間色であってもよい。また、電気泳動素子１３２が、白色および黒色とは異なる赤色などの他の色の電気泳動粒子を含み、電気泳動表示パネル１３が、当該他の色を表示可能に構成されている場合は、第一の色または第二の色は、当該他の色であってもよい。すなわち、第一の色および第二の色は、電気泳動表示パネル１３が表示可能な色であればよい。
なお、電気泳動表示パネル１３は、パネルに入射した光が反射される割合が液晶表示パネルと比べて大きく、明るい方の色が綺麗に表示されるため、見切り部２２の色を、電気泳動表示パネル１３が表示する明るい方の色に合わせた場合でも、見切り部２２を綺麗な色味とすることができる。
【００４７】
前記実施形態では、見切り部２２の表面は平坦であったが、例えば、図７に示すように、表面側から見て、目盛などのインデックスである凹部２２３が設けられていてもよい。
図７に示す例では、電気泳動表示パネル１３は、アナログ時計の時分針が表記された画像を表示し、時分針が目盛である凹部２２３を指示することで、時刻を表示している。この構成によれば、電気泳動表示パネル１３だけではなく、見切り部２２も使って情報を表示できるため、電気泳動表示パネル１３だけで情報を表示する場合と比べて、情報をダイナミックに表示できる。
また、凹部２２３にユーザーが注目することで、見切り部２２の表面と電気泳動表示パネル１３の表面との高低差を小さく見せることができる。これにより、電気泳動表示パネル１３をカバー部材１１に近づけて見せることができ、視認性を向上できる。
なお、凹部２２３は、目盛以外の文字や記号などのインデックスであってもよい。
【００４８】
前記実施形態および前記他の実施形態において、見切り部２２の表面に、図８に示すように、電気泳動表示パネル１３が表示する画像に含まれる模様（図８に示すレンガ模様や、その他、花の模様など）と同じ模様を、印刷などによって設けてもよい。
この構成によれば、表面側から見て、電気泳動表示パネル１３と見切り部２２とで色および模様の繋がりが出せ、画像の背景が見切り部２２の外周縁まで広がっているように見せることができるため、電気泳動表示パネル１３の見切り範囲を広く見せることができる。
【００４９】
前記実施形態では、カバー部材１１にサファイヤガラスを用いているが、これに限定されない。例えば、ガラスなどを用いてもよい。
ただし、カバー部材１１の屈折率が大きいほど、腕時計１を斜めから見た場合に、電気泳動表示パネル１３はカバー部材１１に近づいて見えため、カバー部材１１の光の屈折率は、ガラスよりも大きい１．７以上であることが好ましい。
また、カバー部材１１の屈折率が大きいほど、カバー部材１１の反射率が大きくなり、電気泳動表示パネル１３が見えにくくなるため、当該屈折率は２．０以下であることが好ましい。
【００５０】
前記実施形態では、カバー部材１１の裏面に、反射防止膜が設けられているが、これに限定されない。例えば、カバー部材１１の表面１１１に反射防止膜が設けられていてもよい。または、反射防止膜を設けなくてもよい。ただし、カバー部材１１にサファイヤガラスなど、ガラスよりも屈折率が大きい材料を用いる場合は、カバー部材１１の反射率が大きくなるため、反射防止膜を設けた方が好ましい。
【００５１】
前記実施形態では、見切り部２２の内周面２２２が傾斜面であるが、これに限定されない。例えば、図９に示すように、内周面２２２は、電気泳動表示パネル１３の表面に直交する方向に沿って形成されていてもよい。なお、図中の１点鎖線Ｌ３は、カバー部材１１の表面１１１の外周縁１１１Ａから斜めに入射した光線を示している。
ただし、この場合、腕時計を斜めから見た際、見切り部２２によって電気泳動表示パネル１３が隠される面積は、実施形態のように内周面２２２が傾斜面である場合と比べて大きい。このため、内周面２２２は傾斜面である方が好ましい。
【００５２】
前記実施形態では、電気泳動表示パネル１３に、マイクロカプセル型電気泳動方式の電気泳動表示パネルが用いられているが、これに限定されない。例えば、垂直型電気泳動方式や水平型電気泳動方式の電気泳動表示パネルが用いられていてもよい。
また、前記実施形態では、電気泳動表示パネル１３に、アクティブマトリックス方式の電気泳動表示パネルが用いられているが、これに限定されない。例えば、セグメント方式の電気泳動表示パネルが用いられていてもよい。
【００５３】
前記実施形態では、電子機器として腕時計１を例示しているが、本発明はこれに限定されない。本発明の電子機器には、電気泳動表示パネル１３を備えたあらゆる機器が含まれる。例えば、ディスプレイ装置、テレビジョン装置、電子ブック、電子ペーパー、電子手帳、電卓、携帯電話、携帯情報端末等が含まれる。
【符号の説明】
【００５４】
１…腕時計（電子機器）、２…外装ケース、３…バンド、１１…カバー部材、１３…電気泳動表示パネル、２０…パネル枠、２２…見切り部、３１…操作ボタン、２２２…内周面、２２３…凹部。
【図１】
2019002763.tif 000003
【図２】
2019002763.tif 000004
【図３】
2019002763.tif 000005
【図４】
2019002763.tif 000006
【図５】
2019002763.tif 000007
【図６】
2019002763.tif 000008
【図７】
2019002763.tif 000009
【図８】
2019002763.tif 000010
【図９】
2019002763.tif 000011